【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
哺乳類の第１の手根中手関節（３）のインプラント（３０，５）であって、前記関節の第１の中手骨（１）から前記関節の大菱形骨（２）を離間させるとともに、前記第１の中手骨を前記大菱形骨に対して並進運動を可能にする、インプラント（３０，５）において、（ａ）前記第１の中手骨の端部と髄内係合するように構成された遠位部（３１，６）と、（ｂ）前記大菱形骨の端部が非係合当接してその上を並進運動するように構成された、湾曲した鞍形状プラットフォーム（１５）を有する近位部（３４）と、（ｃ）前記遠位部と前記近位部との間に設けられ、前記大菱形骨および前記第１の中手骨の制御された関節運動を可能にする関節結合（１０，１６）とを備えた、インプラント。
【請求項２】
請求項１に記載のインプラントにおいて、前記関節結合は、ボールおよびソケット関節（１０，１６）である、インプラント。
【請求項３】
請求項１に記載のインプラントにおいて、前記ソケット（１６）は、前記髄内遠位部（３１）内に収容された、インプラント。
【請求項４】
請求項２または３に記載のインプラントにおいて、前記ソケット（１６）は、前記髄内遠位部（３１）の掌側に向かってオフセットしている、インプラント。
【請求項５】
請求項１乃至４のいずれか１項に記載のインプラントにおいて、前記遠位部は、髄腔内に締り嵌めするように構成された髄内ステムを備えた、インプラント。
【請求項６】
請求項２乃至５のいずれか１項に記載のインプラントにおいて、前記ソケットの前記関節面が耐摩耗ライナ（１２）を備えた、インプラント。
【請求項７】
請求項１乃至６のいずれか１項に記載のインプラントにおいて、前記遠位部および／または前記近位部は、前記大菱形と前記第１の中手骨との間の間隔を変化させるように長さ調節用に構成された、インプラント。
【請求項８】
請求項７に記載のインプラントにおいて、前記近位部または前記遠位部は、骨当接／係合部、連結部、及び前記骨当接／係合部と前記結合部との間の調節可能スペーサを備えた、インプラント。
【請求項９】
請求項８に記載のインプラントにおいて、前記調節可能スペーサは、前記骨当接／係合部に螺合し、伸長位置と後退位置との間で軸方向に調整可能なステム（９）を備え、前記ステムは、前記第２の骨の長手方向軸にほぼ平行に、または前記第２の骨の前記長手方向軸に対してある角度で、選択的に、前記骨から軸方向に離れるように延びるように構成された、インプラント。
【請求項１０】
請求項１乃至９のいずれか１項に記載のインプラントにおいて、前記インプラントは、前記遠位部を含む第１の構成要素と、前記近位部を含む第２の構成要素とを備えたモジュール式インプラントであり、前記第１の構成要素または前記第２の構成要素は、前記関節結合を備え、または前記第１の構成要素は、第２の構成要素は、前記関節結合の一部を備えるとともに、前記第２の構成要素は前記関節結合の別の部分を備えた、インプラント。
【請求項１１】
請求項１０に記載のモジュール式インプラントにおいて、一端に第１の骨当接プラットフォームを有し、反対端にボールまたはソケットのうちの１つを有する前記近位部を備えた第１の構成要素と、前記第２の骨と髄内係合するように構成された一端を有する前記遠位部を備えた第２の構成要素と、前記第２の構成要素との係合のために構成された一方の端部および反対端にボールおよびソケットのうちの１つを有する第３のスペーサ構成要素とである３つの構成要素を備えた、モジュール式インプラント。
【手続補正２】
【補正対象書類名】明細書
【補正対象項目名】発明の名称
【補正方法】変更
【補正の内容】
【発明の名称】インプラント
【手続補正３】
【補正対象書類名】明細書
【補正対象項目名】００９２
【補正方法】変更
【補正の内容】
【００９２】
同等物
以上の説明は、現在、本発明の好ましい実施形態を詳細に説明している。これらの記述を考慮すると、当業者には、その実施における多数の改変および変形が生じることが予想される。これらの修正および変形は、添付の特許請求の範囲内に包含されることが意図される。
（項目１）
哺乳類の第１の手根中手関節（３）のインプラント（３０，５）であって、前記関節の第１の中手骨（１）から前記関節の大菱形骨（２）を離間させるとともに、前記第１の中手骨を前記大菱形骨に対して並進運動を可能にする、インプラント（３０，５）において、（ａ）前記第１の中手骨の端部と髄内係合するように構成された遠位部（３１，６）と、（ｂ）前記大菱形骨の端部が非係合当接してその上を並進運動するように構成された、湾曲した鞍形状プラットフォーム（１５）を有する近位部（３４）と、（ｃ）前記遠位部と前記近位部との間に設けられ、前記大菱形骨および前記第１の中手骨の制御された関節運動を可能にする関節結合（１０，１６）とを備えた、インプラント。
（項目２）
項目１に記載のインプラントにおいて、前記関節結合は、ボールおよびソケット関節（１０，１６）である、インプラント。
（項目３）
項目１に記載のインプラントにおいて、前記ソケット（１６）は、前記髄内遠位部（３１）内に収容された、インプラント。
（項目４）
項目２または３に記載のインプラントにおいて、前記ソケット（１６）は、前記髄内遠位部（３１）の掌側に向かってオフセットしている、インプラント。
（項目５）
項目１乃至４のいずれか１項に記載のインプラントにおいて、前記遠位部は、髄腔内に締り嵌めするように構成された髄内ステムを備えた、インプラント。
（項目６）
項目２乃至５のいずれか１項に記載のインプラントにおいて、前記ソケットの前記関節面が耐摩耗ライナ（１２）を備えた、インプラント。
（項目７）
項目１乃至６のいずれか１項に記載のインプラントにおいて、前記遠位部および／または前記近位部は、前記大菱形と前記第１の中手骨との間の間隔を変化させるように長さ調節用に構成された、インプラント。
（項目８）
項目７に記載のインプラントにおいて、前記近位部または前記遠位部は、骨当接／係合部、連結部、及び前記骨当接／係合部と前記結合部との間の調節可能スペーサを備えた、インプラント。
（項目９）
項目８に記載のインプラントにおいて、前記調節可能スペーサは、前記骨当接／係合部に螺合し、伸長位置と後退位置との間で軸方向に調整可能なステム（９）を備え、前記ステムは、前記第２の骨の長手方向軸にほぼ平行に、または前記第２の骨の前記長手方向軸に対してある角度で、選択的に、前記骨から軸方向に離れるように延びるように構成された、インプラント。
（項目１０）
項目１乃至９のいずれか１項に記載のインプラントにおいて、前記インプラントは、前記遠位部を含む第１の構成要素と、前記近位部を含む第２の構成要素とを備えたモジュール式インプラントであり、前記第１の構成要素または前記第２の構成要素は、前記関節結合を備え、または前記第１の構成要素は、第２の構成要素は、前記関節結合の一部を備えるとともに、前記第２の構成要素は前記関節結合の別の部分を備えた、インプラント。
（項目１１）
項目１０に記載のモジュール式インプラントにおいて、一端に第１の骨当接プラットフォームを有し、反対端にボールまたはソケットのうちの１つを有する前記近位部を備えた第１の構成要素と、前記第２の骨と髄内係合するように構成された一端を有する前記遠位部を備えた第２の構成要素と、前記第２の構成要素との係合のために構成された一方の端部および反対端にボールおよびソケットのうちの１つを有する第３のスペーサ構成要素とである３つの構成要素を備えた、モジュール式インプラント。
（項目１２）
前記関節の第１の骨（２）を前記関節の第２の骨（１）から離間させるとともに、前記第１の骨に対して前記第２の骨の並進運動を可能にする哺乳類の骨関節（３）用のインプラント（３０，５）において、（ａ）前記第２の骨の端部と髄内係合するように構成された第１の部分（３１，６）と、（ｂ）前記第１の骨の端部と非係合当接するとともに、その上で並進運動するように構成されたプラットフォーム（１５）を有する第２の部分（３４）、（ｃ）前記第１の部分と前記第２の部分との間に設けられ、前記第１の骨および前記第２の骨の制御された関節運動を可能にする関節結合（１０，１６）を備え、前記骨当接プラットフォーム（１５）は前記第１の骨の前記端部の天然の形状に適合するように成形された、インプラント（３０，５）。
（項目１３）
項目１２に記載のインプラントにおいて、前記関節結合は、ボールおよびソケット関節（１０，１６）である、インプラント。
（項目１４）
項目１３に記載のインプラントにおいて、前記ソケット（１６）は、前記第１の部分（３１）内に収容された、インプラント。
（項目１５）
項目１３または１４に記載のインプラントにおいて、前記ソケット（１６）は、髄内の前記第１の部分（３１）の前記長手方向軸線からずれている、インプラント。
（項目１６）
項目１２乃至１５のいずれか１項に記載のインプラントにおいて、前記第１の部分（３１）は、髄腔内に締り嵌めされるように構成された髄内ステムを備えた、インプラント。
（項目１７）
項目１２乃至１６のいずれか１項に記載のインプラントにおいて、前記骨関節は、鞍状関節、中足指節関節、および関節窩上腕関節から選択される、インプラント。
（項目１８）
項目１７に記載のインプラントにおいて、前記骨関節は、前記第１の部分（３１）が前記第１の中足骨との髄内係合のために構成され、前記第２の部分（３４）が前記指骨の近位端の非係合当接のために構成されたプラットフォームを備えた、中足指節関節である、インプラント。
（項目１９）
項目１７に記載のインプラントにおいて、前記骨関節は第１の手根中手関節であり、前記哺乳類は大菱形骨切除術を受けており、前記第１の部分（３１）は前記第１の中手骨と髄内係合するように構成されているとともに、前記第２の部分（３４）は細長くなっているとともに、前記舟状骨の近位端の非係合当接のために構成されたプラットフォームを備えた、インプラント。
（項目２０）
項目１２乃至１９のいずれか１項に記載のインプラントにおいて、前記ボールおよび／またはソケットの前記関節面は、耐摩耗性ライナ（１２）を備えた、インプラント。
（項目２１）
項目１２乃至２０のいずれか１項に記載のインプラントにおいて、前記遠位部および／または前記近位部は、前記第１の骨と前記第２の骨との間の間隔を変化させるように長さ調節用に構成された、インプラント。
（項目２２）
項目２１に記載のインプラントにおいて、前記近位部または前記遠位部は、骨当接／係合部（６）、連結部、および前記骨当接／係合部と前記連結部との間の調節可能スペーサを備えた、インプラント。
（項目２３）
項目２２に記載のインプラントにおいて、前記調節可能スペーサは、前記骨当接／係合部に螺合し、伸長位置と後退位置との間で軸方向に調整可能なステム（９）を備え、前記ステムは、選択的に、前記第２の骨の長手方向軸にほぼ平行に、または前記第２の骨の前記長手方向軸に対してある角度をなすように、前記骨から軸方向に離れるように延びて構成された、インプラント。
（項目２４）
項目１２乃至２３に記載のインプラントにおいて、前記インプラントは、前記遠位端を含む第１の構成要素と、前記近位端を含む第２の構成要素とを備え、前記第１の構成要素または前記第２の構成要素は前記関節結合を備えた、または、前記第１の構成要素は前記関節結合の一部を備えるとともに前記第２の構成要素は前記関節結合の別の一部を備えた、モジュール式インプラントである、インプラント。
（項目２５）
項目２４に記載のモジュール式インプラントにおいて、一端に第１の骨当接プラットフォームを有し、反対端にボールまたはソケットのうちの１つを有する前記近位部を備えた第１の構成要素と、前記第２の骨と髄内係合するように構成された一端を有する前記遠位部を備えた第２の構成要素と、前記第２の構成要素との係合のために構成された一方の端部および反対端にボールおよびソケットのうちの１つを有する第３のスペーサ構成要素とである、３つの構成要素を備えた、モジュール式インプラント。